【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
多層チューブであって、
Ａ）第一層であって、
ａ１）その繰り返し単位が、約６０〜約８５モルパーセントの式
−Ｃ（Ｏ）（ＣＨ2）mＣ（Ｏ）ＮＨ（ＣＨ2）6ＮＨ−（Ｉ）
［式中、ｍは、８及び／又は１０である］の繰り返し単位と、約１５〜約４０モルパーセントの式
【化１】
2014515706.tif 000001
の繰り返し単位から本質的になる約２５〜１００重量パーセントの半芳香族ポリアミド、
ａ２）０〜４０重量パーセントのポリマー強化剤、
ａ３）０〜１５重量パーセントの可塑剤、
ａ４）脂肪族ジアミン及び脂肪族ジカルボン酸、アミノ酸又はラクタムから誘導される繰り返し単位を有する０〜４０重量パーセントの脂肪族ホモポリアミドであって、前記脂肪族ジアミン、アミノ酸又はラクタムは、６個以下の炭素原子を有する脂肪族ホモポリアミド、
ａ５）着色料、酸化防止剤、熱安定剤、光安定剤、潤滑剤、及び成核剤からなる群から選択される０〜５種の添加剤、
を含んでなる第一層組成物を含んでなる第一層と、
Ｂ）第二層であって、
ｂ１）５０〜１００重量パーセントのポリ（カプロラクタム）、
ｂ２）０〜４０重量パーセントのポリマー強化剤、
ｂ３）０〜１５重量パーセントの可塑剤、
ｂ４）着色料、酸化防止剤、熱安定剤、光安定剤、潤滑剤、及び成核剤からなる群から選択される０〜５種の添加剤
を含んでなる第二層組成物を含んでなる第二層と、
を含んでなり、
但し、前記第一層と第二層が、直接接触し、前記重量パーセントが、前記第一層組成物と前記第二層組成物の総重量にそれぞれ基づく多層チューブ。
【請求項２】
多層チューブを提供する方法であって、
Ａ）第一層であって、
ａ１）その繰り返し単位が、約６０〜約８５モルパーセントの式
−Ｃ（Ｏ）（ＣＨ2）mＣ（Ｏ）ＮＨ（ＣＨ2）6ＮＨ−（Ｉ）
［式中、ｍは、８及び／又は１０である］の繰り返し単位と、約１５〜約４０モルパーセントの式
【化２】
2014515706.tif 000002
の繰り返し単位から本質的になる約２５〜１００重量パーセントの半芳香族ポリアミド、
ａ２）０〜４０重量パーセントのポリマー強化剤、
ａ３）０〜１５重量パーセント（好適な範囲６〜１２及び６〜９重量パーセント）の可塑剤、
ａ４）脂肪族ジアミン及び脂肪族ジカルボン酸、アミノ酸又はラクタムから誘導される繰り返し単位を有する０〜４０重量パーセントの脂肪族ホモポリアミドであって、前記脂肪族ジアミン、アミノ酸又はラクタムは、６個以下の炭素原子を有する脂肪族ホモポリアミド、
ａ５）着色料、酸化防止剤、熱安定剤、光安定剤、潤滑剤、及び成核剤からなる群から選択される０〜５種の添加剤、
を含んでなる第一層組成物を含んでなる第一層と、
Ｂ）第二層であって、
ｂ１）５０〜１００重量パーセントのポリ（カプロラクタム）、
ｂ２）０〜４０重量パーセントのポリマー強化剤、
ｂ３）０〜１５重量パーセントの可塑剤、
ｂ４）着色料、酸化防止剤、熱安定剤、光安定剤、潤滑剤、及び成核剤からなる群から選択される０〜５種の添加剤
を含んでなる第二層組成物を含んでなる第二層と、
の共押出溶融ブレンドを含んでなり、
但し、前記第一層と第二層が、直接接触し、前記重量パーセントが、前記第一層組成物と前記第二層組成物の総重量にそれぞれ基づく方法。
【手続補正２】
【補正対象書類名】明細書
【補正対象項目名】００８５
【補正方法】変更
【補正の内容】
【００８５】
【表２】
2014515706.tif 000003
なお、本発明は、特許請求の範囲を含め、以下の発明を包含する。
１．多層チューブであって、
Ａ）第一層であって、
ａ１）その繰り返し単位が、約６０〜約８５モルパーセントの式
−Ｃ（Ｏ）（ＣＨ2）mＣ（Ｏ）ＮＨ（ＣＨ2）6ＮＨ−（Ｉ）
［式中、ｍは、８及び／又は１０である］の繰り返し単位と、約１５〜約４０モルパーセントの式
【化１】
2014515706.tif 000004
の繰り返し単位から本質的になる約２５〜１００重量パーセントの半芳香族ポリアミド、
ａ２）０〜４０重量パーセントのポリマー強化剤、
ａ３）０〜１５重量パーセントの可塑剤、
ａ４）脂肪族ジアミン及び脂肪族ジカルボン酸、アミノ酸又はラクタムから誘導される繰り返し単位を有する０〜４０重量パーセントの脂肪族ホモポリアミドであって、前記脂肪族ジアミン、アミノ酸又はラクタムは、６個以下の炭素原子を有する脂肪族ホモポリアミド、
ａ５）着色料、酸化防止剤、熱安定剤、光安定剤、潤滑剤、及び成核剤からなる群から選択される０〜５種の添加剤、
を含んでなる第一層組成物を含んでなる第一層と、
Ｂ）第二層であって、
ｂ１）５０〜１００重量パーセントのポリ（カプロラクタム）、
ｂ２）０〜４０重量パーセントのポリマー強化剤、
ｂ３）０〜１５重量パーセントの可塑剤、
ｂ４）着色料、酸化防止剤、熱安定剤、光安定剤、潤滑剤、及び成核剤からなる群から選択される０〜５種の添加剤
を含んでなる第二層組成物を含んでなる第二層と、
を含んでなり、
但し、前記第一層と第二層が、直接接触し、前記重量パーセントが、前記第一層組成物と前記第二層組成物の総重量にそれぞれ基づく多層チューブ。
２．前記半芳香族ポリアミド繰り返し単位が、約６８〜約８２モルパーセントの式（Ｉ）と、約１８〜３２モルパーセントの前記式（ＩＩ）の繰り返し単位とから本質的になる１に記載の多層チューブ。
３．ｍが１０である１に記載の多層チューブ。
４．ａ４）が存在し、前記第一層組成物中のａ１：ａ４の比が、約８０：２０〜約４０：６０である１に記載の多層チューブ。
５．多層チューブを提供する方法であって、
Ａ）第一層であって、
ａ１）その繰り返し単位が、約６０〜約８５モルパーセントの式
−Ｃ（Ｏ）（ＣＨ2）mＣ（Ｏ）ＮＨ（ＣＨ2）6ＮＨ−（Ｉ）
［式中、ｍは、８及び／又は１０である］の繰り返し単位と、約１５〜約４０モルパーセントの式
【化２】
2014515706.tif 000005
の繰り返し単位から本質的になる約２５〜１００重量パーセントの半芳香族ポリアミド、
ａ２）０〜４０重量パーセントのポリマー強化剤、
ａ３）０〜１５重量パーセント（好適な範囲６〜１２及び６〜９重量パーセント）の可塑剤、
ａ４）脂肪族ジアミン及び脂肪族ジカルボン酸、アミノ酸又はラクタムから誘導される繰り返し単位を有する０〜４０重量パーセントの脂肪族ホモポリアミドであって、前記脂肪族ジアミン、アミノ酸又はラクタムは、６個以下の炭素原子を有する脂肪族ホモポリアミド、
ａ５）着色料、酸化防止剤、熱安定剤、光安定剤、潤滑剤、及び成核剤からなる群から選択される０〜５種の添加剤、
を含んでなる第一層組成物を含んでなる第一層と、
Ｂ）第二層であって、
ｂ１）５０〜１００重量パーセントのポリ（カプロラクタム）、
ｂ２）０〜４０重量パーセントのポリマー強化剤、
ｂ３）０〜１５重量パーセントの可塑剤、
ｂ４）着色料、酸化防止剤、熱安定剤、光安定剤、潤滑剤、及び成核剤からなる群から選択される０〜５種の添加剤
を含んでなる第二層組成物を含んでなる第二層と、
の共押出溶融ブレンドを含んでなり、
但し、前記第一層と第二層が、直接接触し、前記重量パーセントが、前記第一層組成物と前記第二層組成物の総重量にそれぞれ基づく方法。
６．前記半芳香族ポリアミド繰り返し単位が、約６８〜約８２モルパーセントの式（Ｉ）と約１８〜３２モルパーセントの前記式（ＩＩ）の繰り返し単位から本質的になる５に記載の方法。
７．ｍが１０である５に記載の方法。
８．ａ４）が存在し、前記第一層組成物中のａ１：ａ４の比が、約８０：２０〜約４０：６０である５〜７のいずれか１項に記載の方法。